(57)【要約】【課題】磁気力による吸着によって工作物を把持する場合において、工作物を変形させず、且つ十分な把持力を発揮することが可能な電磁チャック装置、及び電磁チャック装置を備えた研削盤を提供する。【解決手段】電磁チャック装置６０は，磁極部７１〜７８の磁気力によって工作物Ｗを吸着し磁極部７１〜７８の上面において各対向面６２ｂ，６３ｂが所定の隙間α１を有して対向し配置される一対の吸着支持部材６２，６３を３組（少なくとも３組）備える。一対の吸着支持部材６２，６３は、隣り合う磁極部間の境界を挟んで配置される。各一対の吸着支持部材６２，６３の第一平面６２ａ，６３ａが、隣り合う磁極部の各上面に接触して固定され、各第一平面６２ａ，６３ａと背向し、且つ対向面６２ｂ，６３ｂに連続して形成される各第二平面６２ｃ，６３ｃが、工作物Ｗの被吸着面Ｗａと接触し被吸着面Ｗａを吸着する。【選択図】図３
2018149647.tif 000002
【特許請求の範囲】
【請求項１】
電磁チャック本体の面板上面に形成される複数の磁極部を備え、前記磁極部の磁気力によって工作物を吸着する電磁チャック装置であって、
前記電磁チャック装置は、前記面板上面である前記磁極部の上面において各対向面が所定の隙間を有して対向し配置される一対の吸着支持部材を少なくとも３組備え、
各前記一対の吸着支持部材は、
それぞれ前記複数の磁極部のうちの隣り合う異なる種類の磁極部間の境界を挟んで配置され、
各前記一対の吸着支持部材の各第一平面が、前記隣り合う磁極部の各上面に接触し、
前記工作物が前記磁気力によって吸着される際、
前記各第一平面と背向する各第二平面が、前記工作物の被吸着面と接触し前記被吸着面を吸着する、電磁チャック装置。
【請求項２】
各前記一対の吸着支持部材において、前記各第一平面の面積は、前記各第二平面の面積より大きい、請求項１に記載の電磁チャック装置。
【請求項３】
前記電磁チャック装置の前記面板は外周が円形に形成され、
前記磁極部は、前記面板上面において、前記面板の中心軸線回りに等角度間隔で分割されて扇状に形成され、
前記一対の吸着支持部材は、前記磁極部の前記上面に３組配置され、
前記一対の吸着支持部材が前記磁極部の前記上面において配置される位置は、前記中心軸線を中心とする同一円周上である、請求項１又は２に記載の電磁チャック装置。
【請求項４】
前記一対の吸着支持部材は、前記各対向面とそれぞれ背向して形成される各背向面が、前記面板の外周側から前記中心軸線に向い傾斜して形成される、請求項３に記載の電磁チャック装置。
【請求項５】
テーブルと、
前記テーブルに設けられ、主軸線回りに回転可能な工作主軸を有する主軸台と、
前記工作物の保持が可能な保持装置と、
前記テーブルに対して相対移動可能に設けられ、前記工作物が前記保持装置に位置決めされ保持された場合に、前記工作物を研削する砥石と、を備え、
前記保持装置は、請求項１−４の何れか一項に記載の電磁チャック装置である、研削盤。
【発明の詳細な説明】
【技術分野】
【０００１】
本発明は、電磁チャック装置及び電磁チャック装置を備えた研削盤に関する。
【背景技術】
【０００２】
従来、工作物に対して切削、又は研削等の加工を行なう場合に電磁気による吸着力（磁気吸引力）を利用して工作物を面板上に固定する電磁チャック装置の技術がある。このような電磁チャック装置では、通常、８極や１０極の極磁を用い、工作物に磁束を通して磁気力を発生させ、工作物を面板上に吸着し強固に固定する。このため、工作物の被吸着面の平面度があまり良くない場合、工作物は電磁チャック装置の吸着によって面板の形状に倣い変形してしまう場合がある。この場合、工作物が変形した状態のまま、被吸着面以外の面が加工されるので、電磁チャック装置による吸着を解除した際には、拘束されていた変形が開放され、工作物の加工面が変形してしまう虞がある。
【０００３】
また、バッキングプレート（吸着支持部材）と呼称される部材を用いて工作物を支持する方法がある。なお、バッキングプレートとは、電磁チャック装置の面板と工作物の被吸着面との間に介在させる磁性体からなる部材である（バッキングプレートの一例としては、下記特許文献１−４がある）。
【０００４】
バッキングプレートは、工作物の吸着面を嵩上げする部材である。よって、加工装置（研削盤，マシニングセンタなど）によって工作物の吸着面付近まで加工するときに、加工装置の工具が、電磁チャックの吸着面と接触（破損）することを防ぐことができる。また、工作物を電磁チャックに直接吸着させると、工作物と電磁チャックの吸着面とが直接接触して電磁チャックの吸着表面が変形（破損）し、平面度を保てなくなることがある。これに対し、工作物をバッキングプレートで支持することにより電磁チャックの吸着表面の変形（破損）を防止することができる。
【先行技術文献】
【特許文献】
【０００５】
【特許文献１】特開平６−３１６０２号公報
【特許文献２】特開２０１６−１１２６５０号公報
【特許文献３】特許第５４１６５２７号公報
【特許文献４】特開２００１−２５９１０号公報
【発明の概要】
【発明が解決しようとする課題】
【０００６】
しかしながら、上述の従来の対策方法では、各バッキングプレートを、Ｓ極又はＮ極のいずれかの磁極の上に配置している。このような配置では、バッキングプレートを、例えば、面板の周方向においてＳ極→Ｎ極→Ｓ極の順に配置した場合、最後の磁極（Ｓ極）と初めの磁極（Ｓ極）とは必ず同じ磁極の組み合わせとなる。このため、Ｓ極−Ｓ極間では磁路が形成できず、発生する磁気力が低下し、工作物に対する十分な吸着力（把持力）が得られないという課題がある。また、工作物を吸着（把持）する場合に工作物が変形するという課題がある。
【０００７】
本発明は、このような事情に鑑みてなされたものであり、磁気力による吸着によって工作物を把持する場合において、工作物を変形させず、且つ十分な把持力を発揮することが可能な電磁チャック装置、及び電磁チャック装置を備えた研削盤を提供することを目的とする。
【課題を解決するための手段】
【０００８】
上記課題を解決するため、請求項１の電磁チャック装置は、電磁チャック本体の面板上面に複数の磁極部を備え、前記磁極部の磁気力によって工作物を吸着し固定する電磁チャック装置である。前記電磁チャック装置は、前記面板上面である前記磁極部の上面において各対向面が所定の隙間を有して対向し配置される一対の吸着支持部材を少なくとも３組備え、各前記一対の吸着支持部材は、それぞれ前記複数の磁極部のうちの隣り合う異なる種類の磁極部間の境界を挟んで配置され、各前記一対の吸着支持部材の各第一平面が、前記隣り合う磁極部の各上面に接触し、前記工作物が前記磁気力によって吸着される際、前記各第一平面と背向する各第二平面が、前記工作物の被吸着面と接触し前記被吸着面を吸着する。
【０００９】
このように、電磁チャック装置は、加工時における工作物を、少なくとも３組の吸着支持部材によって被吸着面の一部のみを吸着し支持（固定）する。即ち、工作物は、被吸着面全面で吸着されない。このため、工作物が、被吸着面全面で吸着されることにより、変形してしまう虞がない。また、電磁チャック装置において、最も近接して隣り合う磁極部は、必ず異なる磁極（Ｓ極，Ｎ極）で形成される。このため、隣り合う磁極部に各対向面が所定の隙間を有して配置される各一対の吸着支持部材間では、確実に磁路を形成することができる。従って、工作物は、被吸着面全面で吸着され支持（固定）されなくても、十分な吸着力が得られるので、各一対の吸着支持部材の上面に強固に保持される。これにより、例えば、電磁チャック装置に吸着固定された工作物を工具によって加工しても、工作物が工具から受ける切削又は研削抵抗の方向にずれてしまうことを良好に抑制できる。
【００１０】
また、上記課題を解決するため、請求項５の研削盤は、テーブルと、前記テーブルに設けられ主軸線回りに回転可能な工作主軸を有する主軸台と、前記工作主軸に設けられ前記工作物の保持が可能な保持装置と、前記テーブルに対して相対移動可能に設けられ前記工作物が前記保持装置に位置決めされ保持された場合に前記工作物を研削する砥石と、を備え、前記保持装置は、上記で記載の電磁チャック装置である。
【００１１】
このように、工作物の研削が行なわれる研削盤の工作物の保持装置に上記電磁チャック装置を適用することによって、工作物を、変形していない状態で加工できるとともに、加工中に工作物が大きな研削抵抗を砥石から受けても面板上でずれることなく安定して研削できる。
【図面の簡単な説明】
【００１２】
【図１】本実施形態に係る研削盤の全体構成を示す概略図である。
【図２】図３の電磁チャック本体部分におけるテーブルのII−II矢視断面図である。
【図３】図１の研削盤に備えられる電磁チャック本体の平面図である。
【図４】図２における一対の吸着支持部材の拡大図である。
【図５】図４におけるＱ視である。
【図６】図４における一対の吸着支持部材を構成する各部を説明する図である。
【図７】工作物が支持される一対の吸着支持部材における支持部を説明する図である。
【図８】支持部における把持角度と工作物の変形量との関係を示すグラフである。
【図９】一対の吸着支持部材の間の隙間と工作物を通過する磁束密度との関係を示すグラフである。
【図１０】一対の吸着支持部材と工作物との間を通過する磁束を説明する図である。
【図１１】変形例２における一対の吸着支持部材と、把持角度とを説明する図である。
【図１２】変形例３における一対の吸着支持部材と、把持角度とを説明する図である。
【図１３】一対の吸着支持部材を、平面状に形成された電磁チャック本体に適用した場合について説明する図である。
【発明を実施するための形態】
【００１３】
＜１．第一実施形態＞
（１−１．研削盤の構成）
以下、本発明に係る電磁チャック装置６０（保持装置に相当する）を、工作物Ｗに対して研削を行なう研削盤１に適用した第一実施形態について説明する。なお、図１においては、水平面で直交する方向をＸ軸線方向及びＹ軸線方向とし、Ｘ軸線方向及びＹ軸線方向に直交する方向をＺ軸線方向とする。
【００１４】
図１〜図３に示すように、研削盤１は、ベッド２と、コラム３と、テーブル５と、砥石車９（砥石に相当）と、主軸台４０と、電磁チャック装置６０と、を備える。コラム３及びテーブル５はベッド２上に設けられる。また、本実施形態においては、工作物Ｗは、円環状の部材として説明する。ただし、工作物Ｗの形状は、あくまで一例であって、円環に限定されるものではない。
【００１５】
図１に示すように、コラム３は、砥石車９（砥石）がテーブル５上における工作物Ｗの研削位置に対し進退可能（相対移動可能）となるようベッド２上に配置される。コラム３は、駆動機構３Ａによって、Ｘ軸線方向に往復移動（進退）可能に構成される。図１に示すように、コラム３の側面には、駆動機構３１によって、Ｚ軸線方向に昇降（進退）可能な砥石台４を備える。砥石台４は、駆動機構３２によって、Ｚ軸線回りに回転駆動可能なロータリー型の砥石車９（砥石に相当）を備える。砥石車９は、下方に延びる保持軸３３の下端に保持される。
【００１６】
図２に示すように、主軸台４０は、主軸本体４１と、Ｚ軸線方向と平行なＧ軸線回りに回転可能な工作主軸４２とを備える。なお、図２は、図３に示す電磁チャック装置６０が備える電磁チャック本体６１の平面視におけるII−II矢視断面図である。主軸本体４１には、図略の駆動機構が内蔵される。工作主軸４２は、主軸本体４１が備える駆動機構によってＧ軸線回りに回転可能となるよう主軸本体４１に取り付けられる。工作主軸４２は、主軸本体４１の上端から若干突出して取り付けられる。そして、工作主軸４２の上端には電磁チャック本体６１が固定される。
【００１７】
テーブル５は、電磁チャック本体６１が配置される位置に貫通穴５２を備える。貫通穴５２には、主軸台４０の工作主軸４２が、挿通される。そして、主軸本体４１が、貫通穴５２に対応するテーブル５の裏面に固定される。電磁チャック本体６１は、工作主軸４２とともにＧ軸線回りに回転する。
【００１８】
（１−２．電磁チャック装置（保持装置）の構成）
次に、本発明に係る電磁チャック装置６０（保持装置）の構成について、図３〜図１０に基づき詳細に説明する。電磁チャック装置６０は、電磁チャック本体６１と、３組の一対の吸着支持部材６２，６３と、制御装置６４と、を備える。本発明に係る一対の吸着支持部材６２，６３は、電磁チャック本体６１の面板６１ａ上面に設けられる。
【００１９】
電磁チャック本体６１は、例えば鉄系の磁性材料によって、底部である面板６１ａを上側にして有底筒状に形成される。つまり、面板６１ａは、電磁チャック本体６１の軸線方向から見た場合、外周が円形で形成される。
【００２０】
図３に示すように、本実施形態では面板６１ａの上面に、８個（複数に相当）の磁極部７１〜７８を備える。各磁極部７１〜７８は、面板６１ａのＧ軸線（主軸線、中心軸線）回りで周方向に等角度間隔で分割され、それぞれ扇状に形成される。８個の磁極部７１〜７８の上面高さは全て同一である。
【００２１】
なお、以降、磁極部７１〜７８の各上面を上面７１ａ〜７８ａという。また、分割された各磁極部７１〜７８の間の境界（線）を境界７１Ｌ〜７８Ｌとする。このとき、７１Ｌは、磁極部７１と磁極部７２との間の境界（線）である。また、境界７８Ｌは、磁極部７８と磁極部７１との間の境界（線）である。他の磁極部７２〜７７と他の境界７２Ｌ〜７７Ｌとの関係も同様である。
【００２２】
面板６１ａの上面と、磁極部７１〜７８の上面７１ａ〜７８ａとは同一面である。８個の磁極部７１〜７８は、制御装置６４の制御によって図略のコイルにそれぞれ電流が供給されると各々磁化される。磁化された８個の磁極部７１〜７８では、図３に示すようにＳ極及びＮ極が周方向に交互に形成される。なお、この態様に限らず、図３に示すＳ極をＮ極とし、Ｎ極をＳ極とするように制御してもよい。
【００２３】
ただし、本実施形態においては、磁極部７１〜７８のうち、磁極部７１，７２，７３，７４，７６，７７の６極のみを制御装置６４によって制御し、６極のみに磁気力を発生させればよい。しかし、上記態様に限らず、磁極部７１〜７８の全てに磁気力を発生させてもよい。なお、電磁チャック本体６１は、内部に電磁石等（鉄心，コイル等）を備えるが、公知であるので、その構成、及び作動についての詳細な説明は省略する。
【００２４】
（１−３．一対の吸着支持部材）
本実施形態では、面板６１ａの上面に一対の吸着支持部材６２，６３を３組備えている。図３に示すように各吸着支持部材６２，６３は、磁極部７１，７２の上面７１ａ，７２ａ、磁極部７３，７４の上面７３ａ，７４ａ及び磁極部７６，７７の上面７６ａ，７７ａにそれぞれ配置される。
【００２５】
つまり、各吸着支持部材６２，６３は、境界７１Ｌ，７３Ｌ，７６Ｌの周方向両側にそれぞれ配置される。なお、周方向とは、面板６１ａの中心軸線Ｇを中心とする面板６１ａ上面における周方向をいうものとする。以降の説明において、説明なく「周方向」とのみ記載した場合は、この周方向のことをいうものとする。
【００２６】
３組の吸着支持部材６２，６３は、それぞれ同様の形状によって形成される。よって、以降では、主に磁極部７６，７７の上面７６ａ，７７ａに配置される一対の吸着支持部材６２，６３のみを取り出し説明する。なお、本実施形態では、３組の吸着支持部材６２，６３は、周方向において、磁極部７１〜７８を２個（磁極部７２，７３），３個（磁極部７４，７５，７６），及び３個（磁極部７７，７８，７１）でそれぞれ区切ったときに形成される各境界７３Ｌ，７６Ｌ，７１Ｌを跨いで周方向両側に配置する。つまり、３組の吸着支持部材６２，６３を配置する各境界７１Ｌ，７３Ｌ，７６Ｌは、磁極部７１〜７８を、周方向において、ほぼ等角度間隔で分割し設定する。
【００２７】
図３に示すように、吸着支持部材６２，６３は、８個の磁極部のうちの隣り合う異なる種類の磁極部７６（Ｎ極），及び磁極部７７（Ｓ極）間の境界７６Ｌを挟んで配置される。また、図４，図５に示すように、一対の吸着支持部材６２，６３は、下面６２ａ，６３ａ（第一平面に相当）と、対向面６２ｂ，６３ｂと、上面６２ｃ，６３ｃ（第二平面に相当）と、背向面６２ｄ，６３ｄと、径方向内側面６２ｅ，６３ｅと、径方向外側面６２ｆ，６３ｆと、を備える六面体の部材である。図６に示すように、下面６２ａ，６３ａは、磁極部７６，７７の各上面７６ａ，７７ａとそれぞれ接触面積（面積）Ｓ１，Ｓ１で接触する。
【００２８】
図４に示すように対向面６２ｂ，６３ｂは、境界７６Ｌを挟んだ状態で、且つ対向する各対向面６２ｂ，６３ｂが所定の隙間α１を有した状態で相互に平行に配置される。また対向面６２ｂ，６３ｂは、境界７６Ｌ及び電磁チャック本体６１の中心軸線を含む仮想平面と平行である。
【００２９】
所定の隙間α１は、吸着支持部材６２，６３による工作物Ｗの十分な吸着力（加工に必要な把持力）を得るために、吸着支持部材６２，６３を、相互にできるだけ接近させるため設定されるものであり、吸着支持部材６２，６３の上面６２ｃ，６３ｃ（図６斜線部参照）の間の距離である（面板６１ａの上面における周方向において、上面６２ｃ，６３ｃの間における最も近い部分）。
【００３０】
なお、上面６２ｃ，６３ｃは、工作物Ｗが磁気力によって吸着される際、工作物Ｗの被吸着面Ｗａと接触する。そして、接触した上面６２ｃ，６３ｃによって工作物Ｗの被吸着面Ｗａを吸着し固定する。図６に示すように、本実施形態においては、電磁チャック本体６１の中心軸線方向から見た場合、上面６２ｃ，６３ｃの各面積Ｓ２，Ｓ２は、下面６２ａ，６３ａの接触面積Ｓ１，Ｓ１よりも小さく（Ｓ１>Ｓ２）、且つ境界７６Ｌ側に寄って配置される。また、上面６２ｃ，６３ｃでは、対向面６２ｂ，６３ｂ側の辺と対向する側の辺が面板６１ａの外周側から中心軸線（Ｇ）と交差する方向に向い傾斜して形成される。
【００３１】
このように、上面６２ｃ，６３ｃを下面６２ａ，６３ａより小さくした上で、さらに相互に接近させること、つまり所定の隙間α１を小さくするにより、吸着支持部材６２，６３の上面６２ｃ，６３ｃによって形成される工作物Ｗの被吸着面Ｗａ（下面）を支持する支持部ＳＰ（図７参照）に応じた把持角度θ１を小さくすることができる。
【００３２】
なお、このとき、支持部ＳＰとは、図７に示すように、面板６１ａの中心軸線方向からみた場合において、工作物Ｗの被吸着面Ｗａと、吸着支持部材６２，６３の上面６２ｃ，６３ｃとが交差する範囲のうち、上面６２ｃ，６３ｃの間の隙間α１分を含んだ斜線部の範囲をいう。そして、把持角度θ１は、面板６１ａの中心軸線（Ｇ）と、中心軸線方向からみた多角形の支持部ＳＰの各頂点と、を結んだ各線分同士がなす角度のうち最大となる角度をいうものとする（図７参照）。
【００３３】
これにより、工作物Ｗの被吸着面Ｗａ（下面）を、３組の吸着支持部材６２，６３により３箇所で吸着し支持（固定）する際、被吸着面Ｗａは、周方向においてそれぞれ把持角度θ１という十分狭い範囲で支持される。このため、被吸着面Ｗａが、面板６１ａの上面の広い範囲で吸着固定された場合に生じやすい工作物Ｗの変形を効果的に抑制できる。
【００３４】
なお、参考として把持角度θｄｅｇ（横軸）と工作物Ｗの変形量（縦軸）との関係を図８に示す。図８のグラフは、吸着支持部材６２，６３の支持幅の変化に対しての工作物Ｗの変形量を分析したものであり、ＣＡＥ解析等によるものである（３点支持；３組の吸着支持部材６２，６３）。図８のグラフが示すように、把持角度θ２までの間においては、把持角度θが小さいほど工作物Ｗの変形量は小さいことがわかる。従って本実施形態で設定する所定の把持角度θ１は、０ｄｅｇ〜把持角度θ２までの間で設定されることが好ましい。
【００３５】
しかしながら、所定の把持角度θ１を小さくするため、所定の隙間α１を小さくするにも限度がある。つまり、所定の隙間α１が小さすぎると、例えば、吸着支持部材６２を通過する磁束の一部又は大部分が、対向面６２ｂと対向する吸着支持部材６３の対向面６３ｂに向かい漏れてしまう場合がある。
【００３６】
なお、対向面６２ｂと対向面６３ｂとの間の隙間α（横軸）と、吸着支持部材６２，６３及び工作物Ｗを通過する磁束密度Ｂの大きさ（縦軸）との関係を参考として図９のグラフで示す。図９のグラフは、ＣＡＥ解析等によるものである。図９のグラフが示すように、隙間αがα２を越えるまでは、隙間αの大きさが増加すると磁束密度Ｂは増加する。これは、対向面６２ｂと対向面６３ｂとの間を通過する磁束の量（漏れ磁束量）が減少するためである。しかし、隙間α２を越えると磁束密度Ｂは減少する。これは、磁束が通過する磁路の全体の長さが長くなり抵抗となるためである。従って、本実施形態で設定する所定の隙間α１は、所望の磁束密度Ｂが得られる範囲Ａｒ１内で設定されることが好ましい。
【００３７】
このように、所定の隙間α１及び所定の把持角度θ１は、上記の各条件を両立させるよう事前の検討によって予め求め設定される。これにより、吸着支持部材６２，６３の上面６２ｃ，６３ｃには、良好に磁気力が発生し工作物Ｗに対して十分な吸着力を得ることができる。
【００３８】
そして。上記のように形成された上面６２ｃ，６３ｃ、下面６２ａ，６３ａ及び対向面６２ｂ，６３ｂの各辺を接続して背向面６２ｄ，６３ｄ、径方向内側面６２ｅ，６３ｅ、及び径方向外側面６２ｆ，６３ｆが形成される。図５に示すように、背向面６２ｄ，６３ｄは、各対向面６２ｂ，６３ｂに対してそれぞれ傾斜を有した状態で背向して形成される。
【００３９】
つまり、背向面６２ｄ，６３ｄは、電磁チャック本体６１の中心軸線方向において、下方から上方に向って各対向面６２ｂ，６３ｂとの距離が漸減するよう傾斜している。また、背向面６２ｄ，６３ｄは、面板６１ａの外周側から中心軸線に向い各対向面６２ｂ，６３ｂとの距離が漸減するよう傾斜している。なお、上記態様は、あくまで一例であって、吸着支持部材６２，６３は、少なくとも、下面、対向面、上面、及び背向面を備えていれば、どのように形成されても良い。
【００４０】
また、面板６１ａの上面において、３組の吸着支持部材６２，６３が配置される位置は、図３に示すように、面板６１ａの中心軸線を中心とする同一円周上である。なお、このとき、３組の吸着支持部材６２，６３の各位置はどのように定義し設定してもよい。例えば、上述した支持部ＳＰの重心が、面板６１ａの中心軸線を中心とする同一円周上に配置されるようにしてもよい。
【００４１】
制御装置６４は、電磁チャック装置６０を構成するとともに、機能的構成として、コラム３の送りの制御、砥石台４の昇降の制御、主軸台４０の回転と電磁チャック本体６１の吸引の制御、砥石車９の回転の制御、及びデータやプログラムの記録等を行なう。制御装置６４は、予め設定された制御データに基づき、各装置を制御することで研削を実施する。
【００４２】
（１−４．研削盤の作動）
次に、研削盤１の作動について簡単に説明する。研削加工前において、工作物Ｗは、電磁チャック本体６１の面板６１ａ上に固定された３組の各吸着支持部材６２，６３の各上面６２ｃ、６３ｃ上に載置されるよう搬入される（図３参照）。以降、この位置を研削位置と称す。また、工作物Ｗは、加工終了後、３組の各吸着支持部材６２，６３の各上面６２ｃ、６３ｃから搬出される。
【００４３】
工作物Ｗの搬入及び搬出は、図略のロボットにより行われる。ロボットは、工作物Ｗの中心軸線を電磁チャック本体６１の回転中心（中心軸線）と一致させた状態で、工作物Ｗを搬入するよう構成される。なお、工作物Ｗの搬入及び搬出は、作業者の手作業により行なってもよく、その場合の上記中心位置合わせは、治具等を用いて行なう。
【００４４】
工作物Ｗの研削位置への搬入後、制御装置６４は、工作物Ｗを磁気による吸着力（磁気力）によって電磁チャック本体６１に固定された３組の各吸着支持部材６２，６３の各上面６２ｃ、６３ｃに吸着固定する。このため、制御装置６４は、磁極部７１，７２、磁極部７３，７４及び磁極部７６，７７の各コイルに電流を供給する。
【００４５】
これにより、磁極部７１，７２、磁極部７３，７４及び磁極部７６，７７に磁束（磁力線）を発生させて通過させ磁気力を生じさせて工作物Ｗを各吸着支持部材６２，６３の各上面６２ｃ、６３ｃに吸着固定する。このような状態において、制御装置６４は、コラム３及び砥石車９を制御し、工作物Ｗの外周面を研削加工する。
【００４６】
（１−５．電磁チャック装置の作用）
次に、電磁チャック装置６０の作用について説明する。なお、作用の説明は、上記と同様、３組の各吸着支持部材６２，６３のうち、代表として、磁極部７６，７７に設けられた吸着支持部材６２，６３によって説明する。
【００４７】
制御装置６４の制御により磁束が通過する磁極部７６（Ｎ極），及び磁極部７７（Ｓ極）は、相互に異なる磁極（Ｎ極とＳ極）の組み合わせで構成されている。このため、図１０に示すような磁束ｂの経路（磁路）が確実に形成される。磁路は、磁極部７６（Ｎ極）→吸着支持部材６２→工作物Ｗ→吸着支持部材６３→磁極部７７（Ｓ極）の順に形成される。なお、磁極部７１（Ｓ極），７２（Ｎ極）、及び磁極部７３（Ｓ極），７４（Ｎ極）も同様である。
【００４８】
これにより、３組の吸着支持部材６２，６３が工作物Ｗの被吸着面Ｗａに３箇所で接触し支持する各支持部ＳＰでは、発生する磁気力によって被吸着面Ｗａが強固に吸着される。しかし、このとき、３組の各吸着支持部材６２，６３間では、隙間αが、小さな所定の隙間α１で設定されている。このため、それぞれ被吸着面Ｗａと接触する各上面６２ｃ、６３ｃが各吸着支持部材６２，６３の各対向面６２ｂ，６３ｂと接続される側、即ち境界７６Ｌ側にそれぞれ寄って形成される。これにより、前述したように各支持部ＳＰ（図７参照）の把持角度θ１は十分小さい。
【００４９】
このように、工作物Ｗは、支持部ＳＰの把持角度θ１が十分小さな３組の吸着支持部材６２，６３によって、周方向の３箇所で支持される。従って、工作物Ｗは、各支持部ＳＰでそれぞれ強固に吸着されているが、把持バランス及び把持による撓み力が最適な状態で、把持されている（把持バランス（工作物Ｗの重心位置が支持点群の内側）、把持による撓み力（支持点や工作物Ｗの形状による支持点間のずれから生じる工作物Ｗへの撓み力））。よって、工作物Ｗの全面が変形される虞は低い。また、工作物Ｗは、上述したように、３組の吸着支持部材６２，６３によって強固に吸着保持される。このため、外周面の研削加工時（図３参照）に、砥石車９との接点において、法線方向、及び接線方向に大きな研削抵抗を受けても工作物Ｗが吸着支持部材６２，６３の上面の研削位置からずれる虞はない。これにより、工作物Ｗは、精度よく研削加工される。
【００５０】
（１−６．変形例）
なお、上記第一実施形態においては、磁極部を８極とした。しかしこの態様には限らず、磁極部は、４極以上、及び偶数個であり、且つ製作が可能であれば何極であってもよい。この場合においても、各吸着支持部材６２，６３は、本実施形態と同様に、周方向においてほぼ等角度間隔に配置されることが好ましい。
【００５１】
また、上記第一実施形態においては、各吸着支持部材６２，６３を３組としたが、この態様にかぎらず、各吸着支持部材６２，６３は、４組〜８組のいずれかであってもよい。このような配置によって、工作物Ｗの形状が、単純な円環状でない場合であっても、工作物Ｗの形状に合わせて各吸着支持部材６２，６３の配置を変更することで、工作物Ｗを安定的に吸着し、支持（固定）できる。
【００５２】
また、上記第一実施形態においては、３組の各吸着支持部材６２，６３は、それぞれ被吸着面Ｗａと接触する各上面６２ｃ、６３ｃが各吸着支持部材６２，６３の各対向面６２ｂ，６３ｂと接続される側、即ち境界７６Ｌ側にそれぞれ寄って形成された。しかし、この形態には限らない。変形例１(図略)として、各吸着支持部材６２，６３は、各上面６２ｃ、６３ｃが、各下面６２ａ、６３ａと平行で且つ同じ形状で形成されていてもよい。
【００５３】
また、変形例２として、３組の各吸着支持部材６２Ａ，６３Ａは、図１１に示すように背向面６２ｄＡ，６３ｄＡが対向面６２ｂ，６３ｂに対して傾斜していない直方体形状の部材でもよい。この場合、各支持部ＳＰの把持角度θ１は、図１１に示す部分の角度をいうものとする（各吸着支持部材６２Ａ，６３Ａと工作物Ｗの支持部）。これによっても、上記実施形態と同様の効果が得られる。
【００５４】
また、上記第一実施形態においては、一対の吸着支持部材６２，６３は、下面６２ａ，６３ａ（第一平面に相当）と、対向面６２ｂ，６３ｂと、上面６２ｃ，６３ｃ（第二平面に相当）と、背向面６２ｄ，６３ｄと、径方向内側面６２ｅ，６３ｅと、径方向外側面６２ｆ，６３ｆと、を備えたが、変形例３として、径方向内側面６２ｅ，６３ｅを備えていなくてもよい（図１２参照）。この場合、各支持部ＳＰの把持角度θ１は、図１２に示す部分の角度をいうものとする（各吸着支持部材６２，６３と工作物Ｗの支持部の外側）。これによっても、上記実施形態と同様の効果が得られる。
【００５５】
（１−７．実施形態による効果）
上記実施形態によれば、電磁チャック装置６０は，電磁チャック本体６１の面板６１ａの上面に形成される８個（複数）の磁極部７１〜７８を備える。そして、磁極部７１〜７８の磁気力によって工作物Ｗを吸着する。電磁チャック装置６０は、面板６１ａの上面である磁極部７１〜７８の上面において各対向面６２ｂ，６３ｂが所定の隙間α１を有して対向し配置される一対の吸着支持部材６２，６３を３組（少なくとも３組）備える。一対の吸着支持部材６２，６３は、それぞれ８個の磁極部７１〜７８のうちの隣り合う異なる種類の磁極部間の境界を挟んで配置される。各一対の吸着支持部材６２，６３の各下面６２ａ，６３ａ（第一平面）が、隣り合う磁極部の各上面に接触し、工作物Ｗが磁気力によって吸着される際、各下面６２ａ，６３ａ（第一平面）と背向する各上面６２ｃ，６３ｃ（第二平面）が、工作物Ｗの被吸着面Ｗａと接触し被吸着面Ｗａを吸着する。
【００５６】
このように、電磁チャック装置６０は、加工時における工作物Ｗを、（少なくとも）３組の吸着支持部材６２，６３によって被吸着面Ｗａの一部のみを吸着し支持（固定）する。即ち、工作物Ｗは、被吸着面Ｗａ全面で吸着され固定されない。このため、工作物Ｗが、被吸着面Ｗａ全面で吸着されることにより、変形してしまう虞がない。また、電磁チャック装置６０において、最も近接して隣り合う磁極部は、必ず異なる磁極（Ｓ極，Ｎ極）で形成される。このため、隣り合う磁極部に各対向面６２ｂ，６３ｂが所定の隙間α１を有して配置される各一対の吸着支持部材６２，６３間では、確実に磁束の経路を形成することができる。従って、工作物Ｗは、被吸着面Ｗａ全面で吸着され支持（固定）されなくても、十分な吸着力が得られるので、各一対の吸着支持部材６２，６３の上面に強固に保持される。これにより、例えば、電磁チャック本体６１の面板６１ａの上面に吸着固定された工作物Ｗを砥石等の工具によって加工しても、工作物Ｗが工具から受ける切削又は研削抵抗の方向にずれてしまうことを良好に抑制できる。
【００５７】
また、上記実施形態によれば、各一対の吸着支持部材６２，６３において、各下面６２ａ，６３ａ（第一平面）の面積Ｓ１は、各上面６２ｃ，６３ｃ（第二平面）の面積Ｓ２より大きい。従って、各上面６２ｃ，６３ｃ（第二平面）は、それぞれ対向する対向面６２ｂ，６３ｂ側に寄った状態で、且つ小さな面積で形成されるので、把持角度θ１を小さくすることができる。これにより、工作物Ｗを把持（支持）する部分（各一対の吸着支持部材６２，６３）が、一点での把持（支持）状態に近づく。従って、把持する場合の把持（支持）ずれが少なく（吸着支持部材６２，６３の幅や高さの誤差や変形などによる）、工作物Ｗへの撓み力が生じにくいので、各上面６２ｃ，６３ｃに磁気力によって吸着されたときに、変形しにくい。
【００５８】
また、上記実施形態によれば、電磁チャック装置６０の面板６１ａは外周が円形に形成され、磁極部７１〜７８は、面板６１ａ上面において、面板６１ａの中心軸線回りに等角度間隔で分割されて扇状に形成され、一対の吸着支持部材６２，６３は、磁極部７１〜７８の上面に３組配置される。そして、一対の吸着支持部材６２，６３が磁極部７１〜７８の上面において配置される位置は、中心軸線を中心とする同一円周上である。このように、一対の吸着支持部材６２，６３が、３組配置されることで、工作物Ｗを３点で把持（支持）することになる。従って、吸着支持部材６２，６３のずれや、配置精度不良等による把持（支持）点間のずれによる工作物Ｗへの撓み力が生じにくいので工作物の把持が良好に行なえる。
【００５９】
また、上記実施形態によれば、一対の吸着支持部材６２，６３は、各対向面６２ｂ，６３ｂとそれぞれ背向して形成される各背向面６２ｄ，６３ｄが、面板６１ａの外周側から中心軸線に向い傾斜して形成される。これにより、一対の吸着支持部材６２，６３を面板６１ａの中心軸線方向に移動させても、各吸着支持部材６２，６３が配置される磁極内からはみだしにくい。このため、複数の径で形成された各工作物に対応ができる。
【００６０】
また、上記実施形態によれば、研削盤１は、テーブル５と、テーブル５に設けられ、主軸線回りに回転可能な工作主軸４２を有する主軸台４０と、工作物Ｗの保持が可能な保持装置と、テーブル５に対して相対移動可能に設けられ、工作物Ｗが保持装置に位置決めされ保持された場合に、工作物Ｗを研削する砥石９と、を備え、保持装置は、上記で説明した電磁チャック装置６０である。
【００６１】
このように、工作物Ｗの研削が行なわれる研削盤１の保持装置に上記電磁チャック装置６０を適用することによって、工作物Ｗを、変形していない状態で加工できるとともに、加工中に工作物Ｗが大きな研削抵抗を砥石から受けても面板上でずれることなく安定して研削できる。
【００６２】
＜２．その他＞
なお、上記実施形態においては、本発明に係る電磁チャック装置６０（保持装置）を研削盤１に適用したが、この態様には限らない。電磁チャック装置６０はどのような加工機の保持装置として適用してもよい。また、加工機に限らず、部品を固定する固定具として、どのような装置に用いてもよい。これらによっても同様の効果が期待できる。
【００６３】
また、上記実施形態においては、電磁チャック装置６０の磁極部７１〜７８の磁化は、磁極用鋼材（図略）に巻いたコイル（図略）に通電することで実現するものとした。しかし、この態様には限らない。電磁チャック本体６１の磁極部７１〜７８の磁化は、電磁チャック本体６１内の永久磁石（図略）を移動することによって実現させる方式のものでもよい。これによっても同様の効果が得られる。
【００６４】
また、電磁チャック装置６０は、電磁チャック本体６１が有底筒状で形成された。しかし、この態様には限らず、電磁チャック本体６１Ａが平面状で形成されても良い。この場合、例えば、面板上面の極磁部７１〜７４は、図１３に示すように一列に整列して形成される。そして、このような、電磁チャック本体６１Ａの極磁部７１〜７４の上面に、図１３に示すように、３組の各吸着支持部材６２Ｂ，６３Ｂを配置すればよい。そして、３組の各吸着支持部材６２Ｂ，６３Ｂによって、例えば円環状の工作物Ｗの被吸着面を吸着し固定すればよい。これによっても、上記実施形態と同様の効果が期待出来る。
【符号の説明】
【００６５】
１；研削盤、  ９；砥石車（砥石）、  ４０；主軸台、  ４２；工作主軸、  ６０；電磁チャック装置、  ６１，６１Ａ；電磁チャック本体、  ６１ａ；面板、  ６２，６３，６２Ａ，６３Ａ，６２Ｂ，６３Ｂ；吸着支持部材、  ６２ａ，６３ａ；第一平面（下面）、  ６２ｂ，６３ｂ；対向面、  ６２ｃ，６３ｃ；第二平面（上面）、  ６４；制御装置、  ７１〜７８；磁極部、  ７１Ｌ〜７８Ｌ；境界、  Ｓ１，Ｓ２；面積、  Ｗ；工作物、  α，α１，α２；隙間。
【図１】
2018149647.tif 000003
【図２】
2018149647.tif 000004
【図３】
2018149647.tif 000005
【図４】
2018149647.tif 000006
【図５】
2018149647.tif 000007
【図６】
2018149647.tif 000008
【図７】
2018149647.tif 000009
【図８】
2018149647.tif 000010
【図９】
2018149647.tif 000011
【図１０】
2018149647.tif 000012
【図１１】
2018149647.tif 000013
【図１２】
2018149647.tif 000014
【図１３】
2018149647.tif 000015